(57)【要約】    【課題】ナースコール親機を利用して携帯通話端末を呼び出すにあたり、選択されたチームの当該携帯通話端末を全て呼び出し、または当該携帯通話端末を個別に呼び出し、これらの呼び出しに応答して通話開始処理が行われた当該携帯通話端末およびナースコール親機の間で通話を成立させる。    【解決手段】ナースステーション内に設置されたナースコール親機１０のタッチパネル付表示部１０ａを使用してチーム選択／呼出操作、または個別選択／呼出操作を行うことにより、ベッド子機１ａ〜４ａ、１ｂ〜４ｂ、・・・が設置された各病床の患者を担当する看護師毎のチームａ、ｂ、・・・にそれぞれ割り当てられた携帯通話端末２１ａ、２２ａ、２１ｂ、２２ｂ、・・・のうち、選択されたチームの当該携帯通話端末が全て呼び出され、または当該携帯通話端末が個別に呼び出され、これらの呼び出しに応答して通話開始処理が行われた（何れか１台の）当該携帯通話端末およびナースコール親機の間で通話が成立する。    【選択図】図１
2005210482.tif 000002
【特許請求の範囲】
【請求項１】
病室（Ａ、Ｂ、・・・）内の各病床に設置され呼出ボタン（１００）を有するベッド子機（１ａ〜４ａ、１ｂ〜４ｂ、・・・）と、ナースステーション内に設置され前記ベッド子機から呼び出されて、または前記ベッド子機を呼び出して通話を成立させるためのナースコール親機（１０、１０’）と、看護師により携行され前記ベッド子機から呼び出されて通話を成立させるための携帯通話端末（２１ａ、２２ａ、２１ｂ、２２ｂ、・・・）とを備え、
前記ナースコール親機から前記携帯通話端末を呼び出し、前記呼び出しに応答して前記携帯通話端末が通話開始処理を行うことにより、前記通話開始処理が行われた携帯通話端末および前記ナースコール親機の間で通話を成立させることを特徴とするナースコールシステム。
【請求項２】
病室（Ａ、Ｂ、・・・）内の各病床に設置され呼出ボタン（１００）を有するベッド子機（１ａ〜４ａ、１ｂ〜４ｂ、・・・）と、ナースステーション内に設置され前記ベッド子機から呼び出されて、または前記ベッド子機を呼び出して通話を成立させるためのナースコール親機（１０、１０’）と、看護師により携行され前記ベッド子機から呼び出されて通話を成立させるための携帯通話端末（２１ａ、２２ａ、２１ｂ、２２ｂ、・・・）とを備え、
前記ナースコール親機にて看護師毎のチーム（ａ、ｂ、・・・）を選択し、選択されたチームの携帯通話端末を全て呼び出し、前記呼び出しに応答して前記携帯通話端末のうち何れか１台が通話開始処理を行うことにより、前記通話開始処理が行われた携帯通話端末および前記ナースコール親機の間で通話を成立させることを特徴とするナースコールシステム。
【請求項３】
前記ナースコール親機は、前記携帯通話端末を個別に呼び出し、前記呼び出しに応答して前記携帯通話端末が通話開始処理を行うことにより、前記通話開始処理が行われた携帯通話端末および前記ナースコール親機の間で通話を成立させることを特徴とする請求項１または請求項２記載のナースコールシステム。
【請求項４】
前記ナースコール親機において、前記呼び出しおよび／または前記選択をタッチパネル付表示部（１０ａ）上で行うことを特徴とする請求項１乃至請求項３のうち何れか１項記載のナースコールシステム。
【請求項５】
前記ナースコール親機において、前記ベッド子機の呼び出しのための病室呼び出し、前記呼出ボタンからの呼出表示、前記ベッド子機を選択するための病床選択および呼び出し、または選択される前記ベッド子機の病床／名前表示をタッチパネル付表示部（４１ａ）上で行うことを特徴とする請求項１乃至請求項４のうち何れか１項記載のナースコールシステム。
【請求項６】
前記携帯通話端末から前記ナースコール親機を呼び出して通話を成立させることを特徴とする請求項１乃至請求項５のうち何れか１項記載のナースコースシステム。
【発明の詳細な説明】
【技術分野】
【０００１】
本発明はナースコースシステムに係り、特に、ナースコール親機を利用してチーム毎に割り当てられている携帯通話端末を呼び出し、通話を成立させることができるナースコールシステムに関する。
【背景技術】
【０００２】
従来から、この種のナースコールシステムとして、図３のシステム構成図に示すように、病室Ａ’、Ｂ’、・・・内の各病床の患者によるベッド子機５０１ａ〜５０４ａ、５０１ｂ〜５０４ｂ、・・・を利用した呼出種別が異なるそれぞれの呼び出し、例えば、通常のナースコール呼び出し、緊急を要する緊急呼び出し、トイレ呼び出し等を、ナースステーション内に設置されたナースコール親機５１０および病院内を巡回中の看護師や医師等（以下、巡回看護師という。）により携行される（複数の）携帯通話端末５２１ａ、５２２ａ、５２１ｂ、５２２ｂ、・・・のうち呼出元の患者を担当するチームａ’、ｂ’毎の巡回看護師により携行される当該携帯通話端末にてそれぞれ呼出報知させ、最先に応答した看護師と呼出元の患者との間で通話が成立するナースコールシステムが提案されている（例えば、非特許文献１を参照）。
【０００３】
従来例のナースコールシステムにおいて、携帯通話端末５２１ａ、５２２ａ、５２１ｂ、５２２ｂ、・・・を携行しながら病院内を巡回中であるチームａ’、ｂ’、・・・毎の巡回看護師を、ベッド子機５０１ａ〜５０４ａ、５０１ｂ〜５０４ｂ、・・・が設置された各病床の患者毎にそれぞれ割り当てる、例えば、病室Ａ’内の各患者によるベッド子機５０１ａ〜５０４ａからのそれぞれの呼び出しが報知される巡回看護師を携帯通話端末５２１ａ、５２２ａを携行しているチームａ’の巡回看護師に、また、病室Ｂ’内の各患者によるベッド子機５０１ｂ〜５０４ｂからのそれぞれの呼び出しが報知される巡回看護師を携帯通話端末５２１ｂ、５２２ｂを携行しているチームｂ’の巡回看護師、・・・にそれぞれ割り当てるにあたって、先ず、ベッド子機５０１ａからの呼び出しが報知される巡回看護師を上述のチームａ’の巡回看護師に割り当てるためには、ナースステーション内に在室中の看護師（以下、在室看護師という。）がナースコール親機５１０の病床選択ボタン６１４のうちベッド子機５０１ａが設置された病床に割り当てられている当該病床選択ボタンを操作した後、チーム選択ボタン６１６を使用してチームａ’を選択し、これを確認してチーム決定ボタン６１７を操作する。
【０００４】
また、上述のような病床選択／チーム割り当ての操作を繰り返すことにより、携帯通話端末５２１ａ、５２２ａ、５２１ｂ、５２２ｂ、・・・を携行しながら病院内を巡回中であるチームａ’、ｂ’、・・・毎の巡回看護師を、ベッド子機５０１ａ〜５０４ａ、５０１ｂ〜５０４ｂ、・・・が設置された各病床の患者毎にそれぞれ割り当てることができ、これらの設定情報は、ナースコール親機５１０に保存されるばかりでなく、制御装置５３２へと伝送された後、携帯通話端末５２１ａ、５２２ａ、５２１ｂ、５２２ｂ、・・・を特定するための端末番号毎にそれぞれ割り当てられて保存され、実際にベッド子機５０１ａ〜５０４ａ、５０１ｂ〜５０４ｂ、・・・から呼び出しがあった場合に利用される。
【０００５】
次に、上述のような病床選択／チーム割り当ての操作後において、病室Ａ'内のベッド子機５０１ａが設置された病床の患者により、呼出ボタン６００を使用した呼出種別毎で異なる呼出操作が行われると、ベッド子機５０１ａに割り当てられている子機番号および呼出種別情報を付加させた親機／端末呼出信号が廊下灯５１１ａを介して制御装置５３２へと伝送される。
【０００６】
制御装置５３２は、ベッド子機５０１ａからの親機／端末呼出信号に付加されている子機番号および呼出種別情報をもとに、ベッド子機５０１ａが設置された病床の患者からの呼出種別毎で異なる呼び出しがあることを検出し、当該親機／端末呼出信号をナースコール親機５１０へと出力するとともに、検出された病床の患者を担当するチームａ’の巡回看護師により携行されている携帯通話端末５２１ａ、５２２ａにてそれぞれ呼出報知するための信号として、携帯通話端末５２１ａ、５２２ａを指定するための端末番号および所定の呼出報知データ（詳述せず）を付加させた端末呼出報知信号を交換機５３１に出力する。この端末呼出報知信号は、交換機５３１、無線基地局５３０を介して全ての携帯通話端末５２１ａ、５２２ａ、５２１ｂ、５２２ｂ、・・・へとそれぞれ伝送される。
【０００７】
ナースコール親機５１０は、（制御装置５３２を介した）ベッド子機５０１ａからの親機／端末呼出信号に付加されているベッド番号および呼出種別情報をもとに、ベッド子機５０１ａが設置された病床の患者からの呼出種別毎で異なる呼び出しがあることを検出し、呼出元である患者の病床および名前が記載された病床／名前表示板６１０に近接して設けられている呼出表示灯６１２を呼出種別毎、異なるパターンで点滅表示／点灯表示させるとともに、呼出種別毎、異なるパターンの呼出音（音声メッセージを含む）をスピーカ６１１から放音させて呼出報知を行う。
【０００８】
全ての携帯通話端末５２１ａ、５２２ａ、５２１ｂ、５２２ｂ、・・・は、それぞれ制御装置５３２からの端末呼出報知信号に付加されている端末番号と自端末に割り当てられている端末番号とを照合し、当該端末番号が一致した場合にのみ同様に付加されている呼出報知データ（詳述せず）を信号処理して呼出元の患者に関する患者情報や呼出種別情報を当該表示部に表示させるとともに、呼出種別毎、異なるパターンの呼出音（音声メッセージを含む）を当該スピーカから放音させて、ベッド子機５０１ａが設置された病床の患者からの呼出種別毎で異なる呼び出しの報知を行う。ここでは、チームａ’の巡回看護師により携行されている携帯通話端末５２１ａ、５２２ａの表示部６２０（６２０、６２０）およびスピーカ６２２（６２２、６２２）をそれぞれ使用して上述の呼出報知が行われる。
【０００９】
また、上述の呼出報知を確認した在室看護師およびチームａ’の巡回看護師のうち最先に応答した看護師、先ず、在室看護師がナースコール親機５１０にて通話開始処理を行う、例えば、送受話器６１３を取り上げて応答すると、ナースコール親機５１０の送受話器６１３から制御装置５３２、廊下灯５１１ａを介して呼出元の患者が使用するベッド子機５０１ａのマイク６０１およびスピーカ６０２までの通話ラインが形成され、形成された通話ラインを介して音声信号を送受信させることにより通話が成立する。一方、チームａ’の巡回看護師のうち何れかの当該巡回看護師、ここでは、携帯通話端末５２１ａを携行しているチームａ’の巡回看護師が当該携帯通話端末にて通話開始処理を行う、例えば、操作部６２３を使用して応答操作を行うと、携帯通話端末５２１ａのマイク６２１およびスピーカ６２２から無線基地局５３０、交換機５３１、制御装置５３２、廊下灯５１１ａを介して呼出元の患者が使用するベッド子機５０１ａのマイク６０１およびスピーカ６０２までの通話ラインが形成され、形成された通話ラインを介して音声信号を送受信させることにより通話が成立する。
【００１０】
次に、上述のような病床選択／チーム割り当ての操作後において、病室Ａ'内のベッド子機５０１ａが設置された病床の患者を呼び出すために、在室看護師がナースコール親機５１０の病床選択ボタン６１４のうちベッド子機５０１ａが設置された病床を選択するための当該病床選択ボタンを操作した後、病床呼出ボタン６１５を操作すると、ベッド子機５０１ａを指定するための子機番号を付加させた病床呼出信号が制御装置５３２に出力される。この病床呼出信号は、制御装置５３２、全ての廊下灯５１１ａ、５１１ｂ、・・・を介して全てのベッド子機５０１ａ〜５０４ａ、５０１ｂ〜５０４ｂ、・・・へとそれぞれ伝送される。
【００１１】
全てのベッド子機５０１ａ〜５０４ａ、５０１ｂ〜５０４ｂ、・・・は、ぞれぞれナースコール親機５１０からの病床呼出信号に付加されている子機番号と自子機に割り当てられている子機番号ととを照合し、当該子機番号が一致した場合にのみ呼出音（音声メッセージを含む）をスピーカ６０２から放音させて、在室看護師からの呼び出しの報知を行う。ここでは、ベッド子機５０１ａのスピーカ６０２を使用して上述の呼出報知が行われる。
【００１２】
また、上述の呼出報知の後において、ナースコール親機５１０の送受話器６１３から制御装置５３２、廊下灯５１１ａを介してベッド子機５０１ａのマイク６０１およびスピーカ６０２までの通話ラインが形成され、形成された通話ラインを介して音声信号を送受信させることにより通話が成立する。
【００１３】
なお、上述のような病床選択／チーム割り当ての操作後において、在室看護師は、ベッド子機５０１ａ〜５０４ａ、５０１ｂ〜５０４ｂ、・・・のうち何れかの当該ベッド子機を個別に呼び出すのみならず、複数の当該ベッド子機を一斉に呼び出すこともできる（詳述せず）。
【００１４】
【非特許文献１】アイホン総合カタログ２００３／２００４年版（３９６頁〜４０８頁等）
【発明の開示】
【発明が解決しようとする課題】
【００１５】
しかしながら、従来例のナースコールシステムにおいて、在室看護師は、ナースコール親機５１０の病床選択ボタン６１４および病床呼出ボタン６１５を操作して特定の病床の患者を呼び出して通話を成立させる、または複数の病床の患者を一斉に呼び出すことができる。一方、ナースコール親機５１０を利用してチームａ’、ｂ’、・・・毎の巡回看護師をチーム全体、または個別に呼び出して通話を成立させることができなかった。
【００１６】
本発明は、上述の難点を解消するためになされたもので、ナースコール親機を利用して携帯通話端末を呼び出すにあたり、選択されたチームの当該携帯通話端末を全て呼び出し、または当該携帯通話端末を個別に呼び出し、これらの呼び出しに応答して通話開始処理が行われた当該携帯通話端末およびナースコール親機の間で通話を成立させることができるナースコールシステムを提供することを目的としている。
【課題を解決するための手段】
【００１７】
上述の目的を達成するため、本発明のナースコールシステムは、病室内に各病床に設置され呼出ボタンを有するベッド子機と、ナースステーション内に設置されベッド子機から呼び出されて、またはベッド子機を呼び出して通話を成立させるためのナースコール親機と、看護師により携行されベッド子機から呼び出されて通話を成立させるための携帯通話端末とを備え、ナースコール親機から携帯通話端末を呼び出し、呼び出しに応答して携帯通話端末が通話開始処理を行うことにより、通話開始処理が行われた携帯通話端末およびナースコール親機の間で通話を成立させるものである。
【００１８】
また、本発明のナースコールシステムは、病室内の各病床に設置され呼出ボタンを有するベッド子機と、ナースステーション内に設置されベッド子機から呼び出されて、またはベッド子機を呼び出して通話を成立させるためのナースコール親機と、看護師により携行されベッド子機から呼び出されて通話を成立させるための携帯通話端末とを備え、ナースコール親機にて看護師毎のチームを選択し、選択されたチームの携帯通話端末を全て呼び出し、呼び出しに応答して携帯通話端末のうち何れか１台が通話開始処理を行うことにより、通話開始処理が行われた携帯通話端末およびナースコール親機の間で通話を成立させるものである。
【００１９】
また、本発明のナースコールシステムにおいて、ナースコール親機は、携帯通話端末を個別に呼び出し、呼び出しに応答して携帯通話端末が通話開始処理を行うことにより、通話開始処理が行われた携帯通話端末およびナースコール親機の間で通話を成立させるものである。
【００２０】
また、本発明のナースコールシステムは、ナースコール親機において、呼び出しおよび／または選択をタッチパネル付表示部上で行うものである。
【００２１】
また、本発明のナースコールシステムは、ナースコール親機において、ベッド子機の呼び出しのための病床呼び出し、呼出ボタンからの呼出表示、ベッド子機を選択するための病床選択および呼び出し、または選択されるベッド子機の病床／名前表示をタッチパネル付表示部上で行うものである。
【００２２】
また、本発明のナースコールシステムは、携帯通話端末からナースコール親機を呼び出して通話を成立させるものである。
【発明の効果】
【００２３】
本発明のナースコールシステムによれば、ナースステーション内に設置されたナースコール親機のタッチパネル付表示部を使用してチーム選択／呼出操作、または個別選択／呼出操作を行うことにより、ベッド子機が設置された各病床の患者を担当する看護師毎のチームにそれぞれ割り当てられた携帯通話端末のうち、選択されたチームの当該携帯通話端末が全て呼び出され、または当該携帯通話端末が個別に呼び出され、これらの呼び出しに応答して通話開始処理が行われた（何れか１台の）当該携帯通話端末およびナースコール親機の間で通話を成立させることができる。
【００２４】
また、本発明のナースコールシステムによれば、ナースコール親機からベッド子機への病床呼び出し、ベッド子機からの呼出表示、ナースコール親機にてベッド子機を選択するための病床表示および呼び出し、または選択されるベッド子機の病床／名前表示を、ナースコール親機のタッチパネル付表示部を使用して行うことができる。
【００２５】
さらに、本発明のナースコールシステムによれば、ベッド子機が設置された各病床の患者を担当する看護師毎のチームにそれぞれ割り当てられた携帯通話端末からナースコール親機を呼び出して通話を成立させることができる。
【発明を実施するための最良の形態】
【００２６】
以下、本発明のナースコールシステムを適用した最良の実施の形態例について、図面を参照して説明する。
【００２７】
図１は、本発明の実施例によるナースコールシステムを示すシステム構成図である。
【００２８】
図１のシステム構成図に示すナースコールシステムは、病室内、ここでは、病室Ａ内、病室Ｂ内、・・・にそれぞれ設置され個別の子機番号（詳述せず）が割り当てられており、病床の患者が医療従事者である看護師や医師等、例えば、ナースステーション内に在室中の看護師（以下、従来例と同様に在室看護師という。）や後述する携帯通話端末２１ａ、２２ａ、２１ｂ、２２ｂ、・・・を携行しながら病院内を巡回中の看護師や医師等（以下、従来例と同様に巡回看護師という。）のうち担当であるチームａ、ｂ、・・・毎の巡回看護師に対して通常のナースコール呼び出し、緊急を要する緊急呼び出し、トイレ介助呼び出し等の呼出種別が異なるそれぞれの呼び出しを行い通話を成立させるとともに、在室看護師からの呼び出し（病床呼び出し）が報知され、この呼び出しを確認した病床の患者が在室看護師との間で通話を成立させるための（複数の）ベッド子機、ここでは、病室毎４台ずつのベッド子機１ａ〜４ａ、１ｂ〜４ｂ、・・・と、ナースステーション内に設置されており、ベッド子機１ａ〜４ａ、１ｂ〜４ｂ、・・・からの呼び出しを呼出種別毎、所定のパターンでそれぞれ報知し、この呼び出しを確認／応答して通話開始処理を行った在室看護師が病床の患者との間で通話を成立させるとともに、在室看護師がベッド子機１ａ〜４ａ、１ｂ〜４ｂ、・・・が設置された病床の患者のうち特定の患者を呼び出して通話を成立させる、または一斉に呼び出すばかりでなく、選択したチームａ、ｂ、・・・毎の巡回看護師を全て呼び出し、または巡回看護師を個別に呼び出して通話を成立させる、または巡回看護師からの呼び出しが報知され、これを確認／応答して通話開始処理を行った在室看護師が巡回看護師との間で通話を成立させるためのナースコール親機１０と、病室Ａ、Ｂ、・・・毎に設置、例えば、病室の出入口近傍である廊下先に設置されており、子機ラインＬ1a〜Ｌ4a、Ｌ1b〜Ｌ4b、・・・を介してそれぞれ接続されたベッド子機１ａ〜４ａ、１ｂ〜４ｂ、・・・からの呼出種別が異なる呼び出しを検出／報知（詳述せず）するための廊下灯１１ａ、１１ｂ、・・・と、巡回看護師によりそれぞれ携行され個別の端末番号（詳述せず）およびチーム番号（詳述せず）が割り当てられており、ベッド子機１ａ〜４ａ、１ｂ〜４ｂ、・・・からの呼び出しがあることを呼出種別毎、所定のパターンでそれぞれ報知し、これを確認／応答して通話開始処理を行った巡回看護師が病床の患者との間で通話を成立させるとともに、在室看護師からの呼び出しが選択されたチーム全て、または個別に報知され、これを確認／応答して通話開始処理を行った巡回看護師が在室看護師との間で通話を成立させるばかりでなく、巡回看護師が在室看護師を呼び出して通話を成立させるためのＰＨＳ（Personal Handyphone System）等の（複数の）携帯通話端末、ここでは、チームａの巡回看護師により携行されている携帯通話端末２１ａ、２２ａ、チームｂの巡回看護師により携行されている携帯通話端末２１ｂ、２２ｂ、・・・と、携帯通話端末２１ａ、２２ａ、２１ｂ、２２ｂ、・・・をそれぞれ無線制御するための無線基地局３０と、基地局ラインＬ13を介して接続された無線基地局３０を制御（回線制御）するためのデジタル方式の交換機３１と、ナースステーション内または病院内の共用部に設置されており、廊下灯ラインＬ10を介して順次縦接続された廊下灯１１ａ、１１ｂ、・・・、親機ラインＬ11を介して接続されたナースコール親機１０、交換機ラインＬ12を介して接続された交換機３１をそれぞれ制御するための制御装置３２とから構成されている。
【００２９】
（複数の）ベッド子機１ａ〜４ａ、１ｂ〜４ｂ、・・・はそれぞれ同様な構成であり、病床の患者が在室看護師または自己の担当であるチームａ、ｂ、・・・毎の巡回看護師に対して呼び出しが発生したときに、上述の呼出種別毎で異なる呼出操作を行うための呼出ボタン１００と、病床の患者が呼出先または呼出元である看護師（在室看護師、巡回看護師）との間で通話を成立させるための送話音声を入力するマイク１０１と、病床の患者が呼出先または呼出元である看護師（在室看護師、巡回看護師）との間で通話を成立させるための受話音声を出力するとともに、自己に対して在室看護師からの呼び出しがある旨の呼出音（音声メッセージを含む）を放音するスピーカ１０２とが備えられている。
【００３０】
また、ナースコール親機１０には、患者の病床や氏名が記載される病床／名前表示部１１０と、病床の患者から在室看護師への呼び出しを呼出種別毎、所定のパターンで発報／表示するためのスピーカ１１１および病床毎に割り当てられたＬＥＤ（Light Emitting Diode）等の呼出表示灯１１２と、在室看護師が呼出元または呼出先である病床の患者や巡回看護師との間で通話を成立させるための送受話音声を入出力する送受話器１１３と、在室看護師が呼出先である患者の病床や一斉放送のための病床を選択するとともに、在室看護師が病床毎にチームａ、ｂ、・・・を選択して割り当てるための病床選択ボタン１１４と、在室看護師が病床選択ボタン１１４を操作した後、当該呼び出しを有効として病床の患者を呼び出すために操作する病床呼出ボタン１１５と、在室看護師が巡回看護師を病床の患者毎、所定のチームａ、ｂ、・・・に選択して割り当てるとともに、携帯通話端末２１ａ、２２ａ、２１ｂ、２２ｂ、・・・のうち呼び出すべきチームａ、ｂ、・・・を選択するためのチーム選択ボタン１１６と、チーム選択ボタン１１６の操作により選択されたチーム番号を有効として設定するために在室看護師が操作するチーム決定ボタン１１７と、在室看護師が携帯通話端末２１ａ、２２ａ、２１ｂ、２２ｂ、・・・を個別に選択するための端末選択ボタン１１８と、在室看護師が端末選択ボタン１１８を操作した後、当該呼び出しを有効とするために操作する端末呼出ボタン１１９とが備えられており、上述のチーム選択ボタン１１６、チーム決定ボタン１１７、端末選択ボタン１１８、端末呼出ボタン１１９は、タッチパネル付表示部１０ａ上、例えば、タッチパネル付ＬＣＤ（Liquid Crystal Display）上に設けられる。
【００３１】
さらに、携帯通話端末２１ａ、２２ａ、２１ｂ、２２ｂ、・・・はそれぞれ同様な構成であり、病床の患者または在室看護師による巡回看護師への呼び出しがあることを表示するとともに、後述する操作部１２３の操作情報等を表示するためのＬＣＤ等の表示部１２０と、巡回看護師が呼出元或いは呼出先である病床の患者、または在室看護師との間で通話を成立させるための送話音声を入力するマイク１２１と、自己に対して病床の患者または在室看護師からの呼び出しがある旨の呼出音（音声メッセージを含む）を放音するとともに、呼出元或いは呼出先である病床の患者、または在室看護師からの受話音声を出力するためのスピーカ１２２と、巡回看護師が病床の患者または在室看護師を呼び出すために操作するとともに、在室看護師からの呼び出しに応答するために操作されるテンキーボタン、呼出ボタン等の操作部１２３とが備えられている。
【００３２】
このように構成された本発明の実施例によるナースコールシステムにおいて、以下、具体的な動作について説明する。
【００３３】
図１のシステム構成図において、携帯通話端末２１ａ、２２ａ、２１ｂ、２２ｂ、・・・を携行しながら病院内を巡回中であるチームａ、ｂ、・・・毎の巡回看護師を、ベッド子機１ａ〜４ａ、１ｂ〜４ｂ、・・・が設置された各病床の患者毎にそれぞれ割り当てる、例えば、病室Ａ内の各患者によるベッド子機１ａ〜４ａからのそれぞれの呼び出しが報知される巡回看護師を携帯通話端末２１ａ、２２ａを携行しているチームａの巡回看護師に、また、病室Ｂ内の各患者によるベッド子機１ｂ〜４ｂからのそれぞれの呼び出しが報知される巡回看護師を携帯通話端末２１ｂ、２２ｂを携行しているチームｂの巡回看護師、・・・にそれぞれ割り当てるにあたって、先ず、ベッド子機１ａからの呼び出しが報知される巡回看護師を上述のチームａの巡回看護師に割り当てるためには、在室看護師がナースコール親機１０の病床選択ボタン１１４のうちベッド子機１ａが設置された病床に割り当てられている当該病床選択ボタンを操作した後、タッチパネル付表示部１０ａ上に予め表示されているチーム選択ボタン１１６を使用してチームａを選択し、これを確認して同様にタッチパネル付表示部１０ａ上に予め表示されているチーム決定ボタン１１７を操作する。
【００３４】
また、上述のような病床選択／チーム割り当ての操作を繰り返すことにより、携帯通話端末２１ａ、２２ａ、２１ｂ、２２ｂ、・・・を携行しながら病院内を巡回中であるチームａ、ｂ、・・・毎の巡回看護師を、ベッド子機１ａ〜４ａ、１ｂ〜４ｂ、・・・が設置された各病床の患者毎にそれぞれ割り当てることができ、これらの設定情報は、ナースコール親機１０に保存されるばかりでなく、親機ラインＬ11を介して制御装置３２へと伝送された後、携帯通話端末２１ａ、２２ａ、２１ｂ、２２ｂ、・・・を特定するための端末番号毎にそれぞれ割り当てられて保存され、実際にベッド子機１ａ〜４ａ、１ｂ〜４ｂ、・・・から呼び出しがあった場合に利用される。
【００３５】
なお、上述のような病床選択／チーム割り当ての操作後において、病室Ａ、Ｂ、・・・内の各病床の患者のうち特定の病床の患者が在室看護師および自己を担当するチームａ、ｂ、・・・毎の巡回看護師を全て呼び出し、最先に応答して通話開始処理を行った看護師との間で通話を成立させるための動作、在室看護師が特定の病床の患者を呼び出して通話を成立させる、または複数の患者を一斉に呼び出すための動作は、それぞれ従来例の該当動作と同様であることから説明は省略する。
【００３６】
次に、上述のような病床選択／チーム割り当ての操作後において、チームａ、ｂ、・・・毎の携帯通話端末２１ａ、２２ａ、２１ｂ、２２ｂ、・・・のうち選択されたチームの当該携帯通話端末を全て呼び出す、例えば、チームａの携帯通話端末２１ａ、２２ａを全て呼び出すために、在室看護師がナースコール親機１０のタッチパネル付表示部１０ａ上に予め表示されているチーム選択ボタン１１６を使用してチームａを選択した後、同様にタッチパネル付表示部１０ａ上に予め表示されている端末呼出ボタン１１９を操作すると、選択された携帯通話端末２１ａ、２２ａを指定するための端末番号を付加させた端末チーム呼出信号が親機ラインＬ11を介して制御装置３２へと伝送される。
【００３７】
制御装置３２は、ナースコール親機１０からの端末チーム呼出信号に付加されている端末番号をもとに、在室看護師から携帯通話端末２１ａ、２２ａを携行しているチームａの全ての巡回看護師へのチーム呼び出しがあることを検出し、検出された携帯通話端末２１ａ、２２ａにてそれぞれ呼出報知するための信号として、携帯通話端末２１ａ、２２ａを指定するための端末番号および所定の呼出報知データ（詳述せず）を付加させた端末チーム呼出報知信号を交換機ラインＬ12に出力する。この端末チーム呼出報知信号は、交換機ラインＬ12、交換機３１、基地局ラインＬ13、無線基地局３０を介して全ての携帯通話端末２１ａ、２２ａ、２１ｂ、２２ｂ、・・・へとそれぞれ伝送される。
【００３８】
全ての携帯通話端末２１ａ、２２ａ、２１ｂ、２２ｂ、・・・は、それぞれ制御装置３２からの端末チーム呼出報知信号に付加されている端末番号と自端末に割り当てられている端末番号とを照合し、当該端末番号が一致した場合にのみ同様に付加されている呼出報知データ（詳述せず）を信号処理して在室看護師からのチーム呼び出しがある旨を当該表示部に表示させるとともに、所定のパターンの呼出音（音声メッセージを含む）を当該スピーカから放音させて、在室看護師からのチーム呼び出しの報知を行う。ここでは、チームａの巡回看護師により携行されている携帯通話端末２１ａ、２２ａの表示部１２０（１２０、１２０）およびスピーカ１２２（１２２、１２２）をそれぞれ使用して上述の呼出報知が行われる。
【００３９】
また、上述の呼出報知を確認したチームａの巡回看護師のうち最先に応答した看護師、ここでは、携帯通話端末２１ａを携行しているチームａの巡回看護師が当該携帯通話端末にて通話開始処理を行う、例えば、操作部１２３を使用して応答操作を行うと、携帯通話端末２１ａのマイク１２１およびスピーカ１２２から無線基地局３０、基地局ラインＬ13、交換機３１、交換機ラインＬ12、制御装置３２、親機ラインＬ11を介して呼出元の在室看護師が使用するナースコール親機１０の送受話器１１３までの通話ラインが形成され、形成された通話ラインを介して音声信号を送受信させることにより通話が成立する。
【００４０】
上述までの動作説明によれば、ナースステーション内に設置されたナースコール親機１０のタッチパネル付表示部１０ａを使用したチーム選択／呼出操作により、ベッド子機１ａ〜４ａ、１ｂ〜４ｂ、・・・が設置された各病床の患者を担当する看護師毎のチームａ、ｂ、・・・にそれぞれ割り当てられた携帯通話端末２１ａ、２２ａ、２１ｂ、２２ｂ、・・・のうち、選択されたチームａ、ｂ、・・・毎の当該携帯通話端末が全て呼び出され、この呼び出しに応答して通話開始処理が行われた何れか１台の当該携帯通話端末およびナースコール親機１０の間で通話を成立させることができる。
【００４１】
次に、（複数の）携帯通話端末２１ａ、２２ａ、２１ｂ、２２ｂ、・・・を個別に呼び出す、すなわち、何れか１台の当該携帯通話端末を呼び出す、例えば、携帯通話端末２１ａを呼び出すために、在室看護師がナースコール親機１０のタッチパネル付表示部１０ａ上に予め表示されている端末選択ボタン１１８を使用して携帯通話端末２１ａを選択した後、同様にタッチパネル付表示部１０ａ上に予め表示されている端末呼出ボタン１１９を操作すると、選択された携帯通話端末２１ａを指定するための端末番号を付加させた端末個別呼出信号が親機ラインＬ11を介して制御装置３２へと伝送される。
【００４２】
制御装置３２は、ナースコール親機１０からの端末個別呼出信号に付加されている端末番号をもとに、在室看護師から携帯通話端末２１ａを携行している巡回看護師への個別呼び出しがあることを検出し、検出された携帯通話端末２１ａにて呼出報知するための信号として、携帯通話端末２１ａを指定するための端末番号および所定の呼出報知データ（詳述せず）を付加させた端末個別呼出報知信号を交換機ラインＬ12に出力する。この端末個別呼出報知信号は、上述の端末チーム呼出報知信号と同様な経路を介して全ての携帯通話端末２１ａ、２２ａ、２１ｂ、２２ｂ、・・・へとそれぞれ伝送される。
【００４３】
全ての携帯通話端末２１ａ、２２ａ、２１ｂ、２２ｂ、・・・は、それぞれ制御装置３２からの端末個別呼出報知信号に付加されている端末番号と自端末に割り当てられている端末番号とを照合し、当該端末番号が一致した場合にのみ同様に付加されている呼出報知データ（詳述せず）を信号処理して在室看護師からの個別呼び出しがある旨を当該表示部に表示させるとともに、所定のパターンの呼出音（音声メッセージを含む）を当該スピーカから放音させて、在室看護師からの個別呼び出しの報知を行う。ここでは、巡回看護師により携行されている携帯通話端末２１ａの表示部１２０およびスピーカ１２２をそれぞれ使用して上述の呼出報知が行われる。
【００４４】
また、上述の呼出報知を確認した携帯通話端末２１ａを携行している巡回看護師が当該携帯通話端末にて通話開始処理を行う、例えば、操作部１２３を使用して応答操作を行うと、携帯通話端末２１ａのマイク１２１およびスピーカ１２２から無線基地局３０、基地局ラインＬ13、交換機３１、交換機ラインＬ12、制御装置３２、親機ラインＬ11を介して呼出元の在室看護師が使用するナースコール親機１０の送受話器１１３までの通話ラインが形成され、形成された通話ラインを介して音声信号を送受信させることにより通話が成立する。
【００４５】
上述までの動作説明によれば、ナースステーション内に設置されたナースコール親機１０のタッチパネル付表示部１０ａを使用した個別選択／呼出操作により、ベッド子機１ａ〜４ａ、１ｂ〜４ｂ、・・・が設置された各病床の患者を担当する看護師毎のチームａ、ｂ、・・・にそれぞれ割り当てられた携帯通話端末２１ａ、２２ａ、２１ｂ、２２ｂ、・・・のうち、何れか１台の当該携帯通話端末が個別に呼び出され、この呼び出しに応答して通話開始処理が行われた当該携帯通話端末およびナースコール親機１０の間で通話を成立させることができる。
【００４６】
次に、携帯通話端末２１ａ、２２ａ、２１ｂ、２２ｂ、・・・を携行しながら病院内を巡回中である巡回看護師のうち、例えば、携帯通話端末２１ａを携行している巡回看護師が在室看護師を呼び出すために、携帯通話端末２１ａの操作部１２３を使用して呼出操作を行うと、携帯通話端末２１ａに割り当てられている端末番号を付加させた親機呼出信号が出力される。この親機呼出信号は、無線基地局３０、基地局ラインＬ13、交換機３１、交換機ラインＬ12を介して制御装置３２へと伝送される。
【００４７】
制御装置３２は、携帯通話端末２１ａからの親機呼出信号に付加されている端末番号をもとに、携帯通話端末２１ａを携行している巡回看護師から在室看護師への呼び出しがあることを検出し、この親機呼出信号を親機ラインＬ11を介してナースコール親機１０に出力する。
【００４８】
ナースコール親機１０は、（制御装置３２を介した）携帯通話端末２１ａからの親機呼出信号に付加されている端末番号をもとに、携帯通話端末２１ａを携行している巡回看護師からの呼び出しがあることを検出し、その旨の呼出音（音声メッセージを含む）をスピーカ１１１から放音させて呼出報知を行う。
【００４９】
また、上述の呼出報知を確認した在室看護師がナースコール親機１０にて通話開始処理を行う、例えば、送受話器１１３を取り上げて応答すると、ナースコール親機１０の送受話器１１３から親機ラインＬ11、制御装置３２、交換機ラインＬ12、交換機３１、基地局ラインＬ13、無線基地局３０を介して呼出元の巡回看護師が使用する携帯通話端末２１ａのマイク１２１およびスピーカ１２２までの間の通話ラインが形成され、形成された通話ラインを介して音声信号を送受信させることにより通話が成立する。
【００５０】
上述までの動作説明によれば、ベッド子機１ａ〜４ａ、１ｂ〜４ｂ、・・・が設置され各病床の患者を担当する看護師毎の携帯通話端末２１ａ、２２ａ、２１ｂ、２２ｂ、・・・からナースコール親機１０を呼び出して通話を成立させることができる。
【００５１】
なお、本発明の実施例において、携帯通話端末２１ａ、２２ａ、２１ｂ、２２ｂ、・・・を携行しながら病院内を巡回中である巡回看護師は、上述のような在室看護師への呼び出しおよび当該在室看護師との間の通話のみならず、ベッド子機１ａ〜４ａ、１ｂ〜４ｂ、・・・が設置され各病床の患者のうち、特定の病床の患者を呼び出して通話を成立させる、または複数の患者を一斉に呼び出すこともできる（詳述せず）。
【００５２】
また、本発明の実施例によれば、チームａ、ｂ、・・・毎の携帯通話端末２１ａ、２２ａ、２１ｂ、２２ｂ、・・・のうち、選択されたチームの当該携帯通話端末を全て呼び出す、または当該携帯通話端末を個別に呼び出すためのチーム選択／呼出操作、または個別呼出操作として使用されるナースコール親機１０のチーム選択ボタン１１６、チーム呼出ボタン１１７、端末選択ボタン１１８、端末呼出ボタン１１９をタッチパネル付表示部１０ａ上に設けたが、当該タッチパネル付表示部に設けられるボタン等は、上述のチーム選択ボタン１１６、チーム呼出ボタン１１７、端末選択ボタン１１８、端末呼出ボタン１１９に限定されず、図２のシステム構成図にように、ナースステーション内に設置される当該ナースコール親機として、有線接続させたナースコール通話部４０およびナースコールパーソナルコンピュータ（以下、ナースコールＰＣという。）４１から構成されるナースコール親機１０’を適用し、ナースコール通話部４０に上述のスピーカ１１１および送受話器１１３を備え、ナースコールＰＣ４１に（上述の病床／名前表示板１１０と同様な作用を有する）病床／名前表示部１１０’、上述の呼出表示灯１１２、病床選択ボタン１１４、病床呼出ボタン１１５、チーム選択ボタン１１６、チーム呼出ボタン１１７、端末選択ボタン１１８、端末呼出ボタン１１９が予め表示されるタッチパネル付表示部４１ａを備えることもでき、このナースコール親機１０’を適用した場合においても、上述の実施例と同様、図１のシステム構成図に示すベッド子機１ａ〜４ａ、１ｂ〜４ｂ、・・・が設置された各病床の患者を担当する看護師毎のチームａ、ｂ、・・・にそれぞれ割り当てられた携帯通話端末２１ａ、２２ａ、２１ｂ、２２ｂ、・・・のうち、選択されたチームの当該携帯通話端末が全て呼び出され、または当該携帯通話端末が個別に呼び出され、これらの呼び出しに応答して通話開始処理が行われた（何れか１台の）当該携帯通話端末およびナースコール親機１０’（のナースコール通話部４０）の間で通話を成立させることができるばかりでなく、携帯通話端末２１ａ、２２ａ、２１ｂ、２２ｂ、・・・からナースコール親機１０’を呼び出して通話を成立させることもでき、さらに、ナースコール親機１０’からベッド子機１ａ〜４ａ、１ｂ〜４ｂ、・・・への特定の病床呼び出し、または一斉呼び出し、ベッド子機１ａ〜４ａ、１ｂ〜４ｂ、・・・からの呼出表示、ナースコール親機１０’にて当該ベッド子機を選択するための病床表示および呼び出し、または選択される当該ベッド子機の病床／名前表示をタッチパネル付表示部４１ａを使用して行うことができる。
【図面の簡単な説明】
【００５３】
【図１】本発明の実施例によるナースコールシステムを示すシステム構成図。
【図２】本発明の実施例によるナースコールシステムにおいて、ナースコール親機の別の構成例を示すシステム構成図。
【図３】従来例のナースコールシステムを示すシステム構成図。
【符号の説明】
【００５４】
１ａ〜４ａ、１ｂ〜４ｂ、・・・……ベッド子機
１００……呼出ボタン
１０、１０’……ナースコール親機
１０ａ、４１ａ……タッチパネル付表示部
２１ａ、２２ａ、２１ｂ、２２ｂ、・・・……携帯通話端末
Ａ、Ｂ、・・・……病室
ａ、ｂ、・・・……チーム
【図１】
2005210482.tif 000003
【図２】
2005210482.tif 000004
【図３】
2005210482.tif 000005